(57)【要約】【課題】好気下において一酸化炭素を吸着除去し、かつＶＯＣを同時に除去することを可能とする吸着構造体を備える空気清浄フィルターを用いた空気清浄機を提供する。【解決手段】基材と、基材上にグラフト重合により形成されたポリマーとを有し、ポリマーに有害化学物質を吸着し得る吸着体が形成されてなる空気清浄フィルターと、空気清浄フィルターに対し空気が流入する側に設けられた除湿部とを備える空気清浄機。【選択図】図１
2007111615.tif 000002
【特許請求の範囲】
【請求項１】
基材と、基材上にグラフト重合により形成されたポリマーとを有し、ポリマーに有害化学物質を吸着し得る吸着体が形成されてなる空気清浄フィルターと、当該空気清浄フィルターに対し空気が流入する側に設けられた除湿部とを備える、空気清浄機。
【請求項２】
基材が、シリケート類、セラミック材料または生体由来材料で形成されたものである、請求項１に記載の空気清浄機。
【請求項３】
前記セラミック材料がＳｉＣである、請求項２に記載の空気清浄機。
【請求項４】
前記生体由来材料がセルロースまたはキチンである、請求項２に記載の空気清浄機。
【請求項５】
前記ポリマーが芳香族基を含むことを特徴とする、請求項１に記載の空気清浄機。
【請求項６】
前記吸着体が金属錯体を含むことを特徴とする請求項１に記載の空気清浄機。
【発明の詳細な説明】
【技術分野】
【０００１】
本発明は、有害化学物質を吸着除去するための空気清浄フィルターを備えた空気清浄機に関する。
【背景技術】
【０００２】
近年、住宅をはじめとする居住スペースにおける室内環境汚染の問題に関心が集まっている。特に、新築住宅に入居後、めまい、吐き気、頭痛、目・鼻・喉の痛みなどの症状を訴えるシックハウス症候群は非常に注目されている疾患の１つである。このシックハウス症候群は、建材、内装材や家具などから放散されるホルムアルデヒドやトルエン、キシレンなどの揮発性化学物質（volatile organic compounds：ＶＯＣ）が原因となっている。特に近年は気密性が高いために自然に換気される量が減少し、かつ建材、内装材や家具などはＶＯＣを放散しやすいものが多用されているため、シックハウス症候群の発生しやすい状況を作っている。
【０００３】
また最近施行された受動喫煙の防止を謳う健康増進法により、学校、体育館、病院、劇場、観覧場、集会場、展示場、百貨店、事務所、官公庁施設、飲食店その他の多数の者が利用する施設を管理する者は、これらを利用する者について、受動喫煙を防止するために必要な措置を講ずるように努めなければならない。このように健康面に対する問題から有害化学物質による室内環境汚染に関して非常に多くの注目がなされている。
【０００４】
タバコの煙に関して言えば、特許文献１では、フィルターによる除塵について記述されているが、最も人体に有害でありタバコの副流煙の主成分として知られている一酸化炭素の除去について記載されておらず、また一酸化炭素の除去が実現されている例は殆どない。特許文献２では、金属錯体による一酸化炭素の分離について記述がなされているが、これらはその工程が嫌気下においてなされる工業的な分離を目的としたもので、好気下において十分に効力を発揮するものとは言い難い。
【特許文献１】特開２００２−２８４１４号公報
【特許文献２】特開昭６１−１６４６４４号公報
【発明の開示】
【発明が解決しようとする課題】
【０００５】
本発明は、上記課題を解決するためになされたものであって、その目的とするところは、好気下において一酸化炭素を吸着除去し、かつＶＯＣを同時に除去することを可能とする吸着構造体を備える空気清浄フィルターを用いた空気清浄機を提供することである。
【課題を解決するための手段】
【０００６】
本発明の空気清浄機は、基材と、基材上にグラフト重合により形成されたポリマーとを有し、ポリマーに有害化学物質を吸着し得る吸着体が形成されてなる空気清浄フィルターと、当該空気清浄フィルターに対し空気が流入する側に設けられた除湿部とを備えることを特徴とする。
【０００７】
ここにおいて、前記基材は、シリケート類、セラミック材料または生体由来材料で形成されたものであることが好ましい。前記セラミック材料の中でもＳｉＣがより好ましく、また、前記生体由来材料の中でもセルロースまたはキチンがより好ましい。
【０００８】
本発明の空気清浄機において、前記ポリマーは芳香族基を含むことが好ましい。
また本発明の空気清浄機において、前記吸着体は金属錯体を含むことが好ましい。
【発明の効果】
【０００９】
本発明による空気清浄機は、従来法では除去することが困難であった一酸化炭素の除去を、空気中でも安定に存在することができる銅（Ｉ）イオンへ一酸化炭素を配位させることにより除去を行い、なおかつトルエンやキシレンをはじめとするＶＯＣをも吸着除去することができる。すなわち一酸化炭素とＶＯＣとを同時に除去することを可能とする。
【発明を実施するための最良の形態】
【００１０】
図１は、本発明の空気清浄機に好ましく用いられる空気清浄フィルター１の一部を模式的に示す図である。本発明における空気清浄フィルター１は、基材２と、基材２上にグラフト重合により形成されたポリマー３とを備え、ポリマー３に有害化学物質を吸着し得る吸着体４が形成されてなることを特徴とする。なお、本明細書中における「有害化学物質」とは、室内環境を汚染し、人体に対して有害である物質であり、具体的には、トルエン、キシレン、一酸化炭素などを指す。本発明の空気清浄機は、有害化学物質が一酸化炭素（ＣＯ）を含む場合に、特に好適に適用することができるものである。
【００１１】
空気清浄フィルター１における基材２は、略平坦な一表面を有し、当該表面にモノマーをグラフト重合させ得る高分子化合物の重合開始点を発生させ得るものであれば特に制限されるものではなく、たとえば、セラミック材料、シリケート類、生体由来材料、活性炭、グラファイト、酸化物、窒化物、金属（合金を含む）、有機物質などの適宜の材料で形成されたものを用いることができる。中でも、表面から比較的簡便に重合を行なうことができることから、セラミック材料、シリケート類または生体由来材料で形成された基材２を用いることが好ましい。すなわち、放射線により基材２表面に重合開始点を発生できるもの、基材２の表面に化学的に重合開始することができる官能基を有するもしくは修飾させることができる材料で形成された基材２が好ましく用いられる。
【００１２】
上記セラミック材料としては、具体的には、ＳｉＣ、ＳｉＮ、コージエライト、アルミナなどを挙げることができる。中でも比較的ラジカルが発生しやすいことから、ＳｉＣが好ましい。
【００１３】
上記シリケート類としては、具体的には、シリカゲル、シリカアルミナ、ケイ酸塩、アルミノケイ酸塩、ホウケイ酸塩などを挙げることができる。中でも成形性に富み容易に入手することができることから、シリカゲルが好ましい。
【００１４】
上記生体由来材料とは、動植物から得られる材料を指し、具体的には、キチン、キトサン、セルロース、デキストラン、コラーゲン、ゼラチン、ポリアミノ酸などを挙げることができる。中でも繊維状であり、後述するハニカム状に簡便に形成することができることから、セルロースまたはキチンが好ましい。
【００１５】
本発明における空気清浄フィルター１では、基材２の表面にポリマー３をグラフト重合により形成することにより、基材２の表面を修飾させる。このように基材２の表面にポリマー３をグラフト重合により形成することによって、空気清浄フィルターとして用いた場合に、空気中に含まれる有害化学物質を効率的にポリマー３に衝突させ、後述するポリマー３上に形成された吸着体４によって有害化学物質を吸着させて効率的に除去させることができる。
【００１６】
基材２の表面にポリマー３をグラフト重合により形成する方法としては、従来公知の様々な方法を特に制限されることなく適用することができる。たとえば、（１）紫外線、プラズマ、γ線などの放射線を用いて基材表面に活性点を与えそれを基点に重合させる方法、（２）基材表面に、モノマーと反応する官能基を修飾し重合させる方法、（３）酸化還元反応を用いて重合させる方法などが挙げられる。
【００１７】
基材２の形成材料としてＳｉＣを用いた場合には、上述した方法のうち、プラズマにより基材２の表面に活性点を与える方法を好適に採用することができる。プラズマを用いる場合、好ましくは０．１ｔｏｒｒ〜１ｔｏｒｒのアルゴン気流下で基材のプラズマ処理を行い、その後常圧、嫌気下でモノマーを反応させる。このようにして、基材２上にポリマー３をグラフト重合により形成することができる。
【００１８】
また基材２の形成材料としてシリケート類を用いた場合には、上述した方法のうち、基材２の表面に、ポリマーと反応する官能基を修飾し重合させる方法を好ましく採用することができる。基材２の表面に修飾する官能基としては、たとえば水酸基、メルカプト基、アミノ基、カルボキシル基、スルホン基、リン酸基、エポキシ基、アリル基、アクロイル基、メタクロイル基、イソシアネート基、シランカップリング基、アゾ基、ジチオカルバメート基などを挙げることができる。たとえば、基材２が表面に水酸基を有する場合、メルカプト基を導入してグラフト重合を行うことができる。たとえば、メルカプト基導入のために、基材２をメルカプトプロピルメトキシシランの水／イソプロピルアルコール混合溶媒溶液に浸漬する。
【００１９】
基材２の形成材料としてキチンやセルロースを用いた場合には、上述した方法のうち、酸化還元反応を用いて重合させる方法を好ましく採用することができる。具体的には、基材をたとえば硝酸水溶液に浸漬し、０℃以下で酸化剤としてセリウム（ＩＶ）イオンを過剰に添加して、重合開始点を形成するとともにラジカルを消滅させる。これにモノマーを添加することによって、基材２上にグラフト重合によりポリマー３を形成する。
【００２０】
空気清浄フィルター１において、基材２の表面にグラフト重合により形成されるポリマー３は特に制限されるものではないが、芳香族化合物を含むモノマーで形成され、当該芳香族化合物由来の芳香族基を含むものであることが好ましい。トルエン、キシレンをはじめとする芳香族性のＶＯＣを、ポリマー３中に含まれる芳香族基との相互作用によって吸着させる機能をもたせるためであるとともに、吸着体４の形成に特に好適であるからである。上記芳香族基は、ポリマー３の主鎖、側鎖のいずれを構成するように含有されていてもよい。ポリマー３に好ましく含まれる芳香族基を形成するための芳香族化合物モノマーとしては、スチレン、ビニルトルエン、α−メチルスチレン、クロルスチレン、ｔ−ブチルスチレン、ヒドロキシスチレン、シアノスチレン、アミノスチレン、スチレンスルホン酸、ジビニルスチレン、ビニルピリジンなどが挙げられ、中でも芳香族環上に形成される金属錯体の安定性が高くなると考えられることから、スチレン、ジビニルベンゼンが好ましい。
【００２１】
ポリマー３中に芳香族基が含まれる場合、当該部分はポリマー全体を構成するモノマーの全量を１とする場合に０．１〜０．９の範囲で含有されることが好ましく、０．３〜０．７の範囲で含有されることがより好ましい。ポリマー３中に含まれる芳香族基の前記含有量が０．１未満であると、一酸化炭素を吸着する錯体が形成されにくくなり、トルエンやスチレンをはじめとする芳香族化合物を吸着できないという傾向にあるためであり、またポリマー３中に含まれる芳香族基の前記含有量が０．９を超えると、錯体の形成が密になりすぎる傾向にあるためである。なお、上記ポリマー３中に含まれる芳香族基の含有量は、たとえば赤外吸収スペクトル（ＩＲスペクトル）を用いて、その吸光度から測定することができる。
【００２２】
空気清浄フィルター１において、ポリマー３は、基材２の表面上に１ｎｍ2あたり０．１〜１本の密集度で形成されるのが好ましく、１ｎｍ2あたり０．３〜０．８本の密集度で形成されるのがより好ましい。ここで、前記「密集度」とは、基材２の表面の単位面積あたりに形成されたポリマー３の本数を示す。ポリマー３の密集度が１ｎｍ2あたり０．１本未満であると、ポリマー３が基材２に対して垂直方向に立ちにくく、有害化学物質の除去効率が落ちる傾向にあるためであり、またポリマー３の密集度が１ｎｍ2あたり１本を超えると、ポリマー３が密集しすぎて、逆に有害化学物質の除去効率が下がる傾向にあるためである。なお、上記ポリマー３の密集度は、たとえばグラフト重合後の溶液中に存在するフリーポリマー（グラフトしていないポリマー）をＧＣＰで分析し、その分子量（数平均分子量：Ｍｎ）を測定する。このとき、フリーポリマーの分子量はグラフトポリマーのものとほぼ同様の値をとる。次に、グラフトポリマーを修飾した基材のＩＲスペクトルの測定から得られた吸光度よりグラフト量を求める。そして横軸に分子量、縦軸にグラフト量をプロットし、その傾きから密集度を見積もることができる。
【００２３】
本発明における空気清浄フィルター１は、上記基材２の表面にグラフト重合により形成されたポリマー３上に、有害化学物質を吸着し得る吸着体４が形成されてなる。本発明における空気清浄フィルター１では、基材２の表面にポリマー３がグラフト重合により形成されることで、基材２上に共有結合によりポリマー３が存在する。そして、このポリマー３上に吸着体４が形成される。このため、従来の浸漬により基材の表面を吸着剤で修飾するような構成と比較すると、より安定して基材上に吸着体が存在することになる。
【００２４】
本発明においては、金属錯体を用いて吸着体４を形成してなることが好ましい。金属錯体は、通常、遷移金属イオンと塩基の間に配位結合を介して形成される。塩基としては、ハロゲンなどの陰イオン、窒素原子や酸素原子上に存在する孤立電子対、π電子などが挙げられる。配位結合は、一般に強い相互作用であり共有結合の一種である。ポリマー３上への金属錯体の形成は、たとえば、ポリマー３中に含まれる芳香族基と、金属イオンとの間の配位結合によってなされる。
【００２５】
金属錯体の形成に用いられる金属イオンとしては、たとえば、銅イオン、アルミニウムイオン、鉄イオン、ニッケルイオン、亜鉛イオン、銀イオン、コバルトイオン、マンガンイオン、モリブデンイオンなどが挙げられ、中でも空気酸化に対して比較的安定な、銅（Ｉ）イオンとアルミニウム（ＩＩＩ）イオンとの複合体が好ましい。金属錯体としては、たとえば、配位子としてベンゼン、トルエン、ピリジンを用いた銅（Ｉ）−アルミニウム（ＩＩＩ）錯体などを挙げることができる。このような金属錯体を形成するための原料としては、たとえばハロゲン化銅、ハロゲン化アルミニウムなどの金属のハロゲン化物を好適に用いることができる。
【００２６】
たとえば銅（Ｉ）イオンを用いた金属錯体にて吸着体４を形成した場合、有害化学物質である一酸化炭素は、ポリマー３上に配位した銅イオン上へ配位結合を介して結合されることによって、吸着体４に吸着される。また一酸化炭素が銅（Ｉ）イオンと相互作用する場合、一酸化炭素の電子を供与して金属への結合を生成するとともに、一酸化炭素がπ電子を有するので金属ｄ電子を一酸化炭素のπ＊軌道へ供与する（逆供与）するために強い結合が形成される。また、一酸化炭素以外にも、金属錯体に対し吸着能を有する有害化学物質であれば、吸着体４により吸着させることによって除去することができる。たとえば、臭いの原因となるアミン類や硫黄含有化合物も空気清浄フィルター１により除去し得る対象となる。
【００２７】
空気清浄フィルター１において、吸着体４は、ポリマー３上に０．２〜０．８の割合で存在するように形成されるのが好ましく、０．４〜０．６の割合で存在するように形成されるのがより好ましい。上記範囲内の割合で吸着体４がポリマー３上に存在する、換言すれば、吸着体４がポリマー３全体に略均一に存在していることにより、吸着体４により効率よく有害化学物質を吸着し除去することができる。
【００２８】
上記吸着体４が存在する割合が０．２未満である場合、一酸化炭素を吸着する能力が低下するという傾向にあるためであり、また上記吸着体４が存在する割合が０．８を超える場合、トルエンやスチレンをはじめとする芳香族化合物の吸着能が低下するという傾向にあるためである。なお、上記吸着体４がポリマー３上に存在する割合は、たとえば、赤外吸収スペクトル（ＩＲスペクトル）を用いて、その吸光度から測定することができる。
【００２９】
本発明における空気清浄フィルター１は、基材２が組み合わされて、ハニカム構造を形成するように実現されてなるのが好ましい。すなわち、空気清浄フィルターに空気が流入する方向に対する垂直断面がハニカム構造であるように形成されるのが好ましい。そして、このハニカム構造において、互いに向かい合う基材２表面にそれぞれポリマー３がグラフト重合により形成され、さらにポリマー３上に吸着体４が形成されてなるのが、好ましい。このようなハニカム構造を備える空気清浄フィルター１は、圧力損失をより低減させることができる。ハニカム構造において、吸着体４は、空気の流路全体に分布させてもよいが、圧力損失低減の観点から、ポリマー３の基端部側に密に分布させるように実現されてもよい。
【００３０】
図２は、本発明の好ましい一例の空気清浄機１１を模式的に示す図である。本発明の空気清浄機１１は、上述した空気清浄フィルター１と、当該空気清浄フィルター１に対し空気が流入する側に設けられた除湿部１２とを備える。図２に示す例において、空気の流入方向は黒塗りの矢符Ａで示され、空気清浄フィルター１に対するこの流入方向Ａの上流側に、除湿部１２が設けられてなる構成を備える。
【００３１】
上述した空気清浄フィルター１は、たとえば吸着体４として、銅（Ｉ）−アルミニウム（ＩＩＩ）錯体を用いた場合には、空気中の水分によって錯体が分解され、塩酸が発生する虞がある。本発明の空気清浄機１１は居住スペースに用いられるものであるため、空気中の水分は避けられない。そこで、本発明の空気清浄機１１では、空気清浄フィルター１に対し空気が流入する側に除湿部１２を設けてなることによって、空気清浄フィルター１に流入する空気中に含まれる水分を除去するようにしている。
【００３２】
本発明の空気清浄機１１に用いられる除湿部１２は、空気中の水分を除去し得る機能を有するものであればよいが、中空糸膜を用いるのが好ましい。中空糸は、空気中の窒素や有害化学物質と比較して酸素や水を透過しやすい性質を有しており、中空糸を除湿部１２として用いることで、有害化学物質を含む圧縮空気のうち、酸素や水を選択的に膜外に放出し、残る窒素や有害化学物質を空気清浄フィルター１に送り込むことができるようになる。このようにして、空気中に含まれる水分が空気清浄フィルター１に流入することによる空気清浄フィルター１の劣化を確実に防止することができ、空気中に水分が存在することが避けられない居住スペースに設置しながら、有害化学物質の中でも特に一酸化炭素に対して非常に吸着力のある銅（Ｉ）イオンを吸着体４として用いた空気清浄フィルター１を劣化することなく適用することができる。
【００３３】
本発明の空気清浄機１１は、上述した空気清浄フィルター１および除湿部１２を基本的に備える構成であればよく、それ以外の部分は空気清浄機が通常備えるような構成で実現される。図２に示す例の空気清浄機１１は、たとえば、空気の流入部１３および排出部１４を備え、空気清浄機１１への空気の流入方向Ａに関し、流入部１３から排出部１４へ向かって、除湿部１２、空気清浄フィルター１の順に配置されるように構成される。図２に示す例の空気清浄機１１は、さらに除湿部１２よりも流入部１３側にコンプレッサ（図示せず）および除塵フィルタ１５を備える例を示している。これらの構成要素は、特に制限されるものではなく、当分野で従来より広く用いられているものを適宜組み合わせて用いることができる。
【００３４】
以下、実施例および比較例を挙げて本発明をより詳細に説明するが、本発明はこれらに限定されるものではない。
【００３５】
＜実験例１＞
プラズマ処理装置（ＡＸ５０００、ＡＳＴｅＸ社製）を用いて、プラズマを利用した表面活性化グラフト法により、基材２上にポリマー３をグラフト重合により形成し、さらにポリマー３上に吸着体４を形成することによって空気清浄フィルター１を作製した。
【００３６】
まず、１Ｌの反応容器中に、ＳｉＣで形成された基材を用いたハニカム構造構造体（５０ｍｍ径、厚み５ｍｍ）を設置し、反応系中を減圧した。その後プラズマ照射のためにアルゴンガスを流し、反応溶液内が０．５ｔｏｒｒの圧力に安定した後、６０Ｗで１０分間プラズマ処理を行った。プラズマ照射後、容器内の減圧度を利用して予め脱気したモノマー溶液（２０％）（モノマー組成：Ｃ6Ｈ5ＣＨ＝ＣＨ2）を導入した。その後窒素ガスを導入し常圧、嫌気下、５０℃で３〜６時間反応を行って、基材２の表面にポリマー３をグラフト重合により形成した（形成されたポリマーの化学構造：（Ｃ6Ｈ5ＣＨＣＨ2）n）。
【００３７】
次に、０．７５ｇ（７．５ｍｍｏｌ）のハロゲン化銅（塩化銅（Ｉ））および０．９９ｇ（７．５ｍｍｏｌ）のハロゲン化アルミニウム（塩化アルミニウム）を溶解させた乾燥トルエン溶液に、窒素雰囲気下で、上記作製した表面にポリマー３がグラフト重合された基板２を浸漬し、１０時間、５０℃でポリマー３と金属イオンとを反応させた。その後、減圧下で溶媒を除去することによって、ポリマー３上に吸着体４を形成し、空気清浄フィルター１を作製した。得られた空気清浄フィルター１において、ポリマー３の密集度は１ｎｍ2あたり０．６本、吸着体４が存在する割合は０．４であった。
【００３８】
＜実験例２＞
基材２の表面に存在する官能基から重合を開始させることによって基材２上にポリマー３をグラフト重合し、さらにポリマー３上に吸着体４を形成することで、空気清浄フィルター１を作製した。
【００３９】
シリカゲルにて形成された基材（表面に水酸基を有する）を用いたハニカム構造体（５０ｍｍ径、厚み５ｍｍ）に、メルカプト基を導入してグラフト重合を行なった。まず、メルカプト基導入のために、メルカプトプロピルメトキシシランの水／イソプロパノール（１０：９０（体積比））混合溶媒溶液に、上記ハニカム構造体を４０℃で１時間浸漬した。その後、モノマー溶液（２０％）（モノマー組成：Ｃ6Ｈ5ＣＨ＝ＣＨ2）に、ハニカム構造体を浸漬し、過硫酸ナトリウムを開始剤として１５ｍｇ添加し、７０℃で１時間反応を行い、基材２上にポリマー３をグラフト重合により形成させた（形成されたポリマーの化学構造：（Ｃ6Ｈ5ＣＨＣＨ2）n））。
【００４０】
その後、実験例１と同様にして、ポリマー３と金属イオンとを反応させ、ポリマー３上に吸着体４を形成し、空気清浄フィルター１を作製した。得られた空気清浄フィルター１において、ポリマー３の密集度は１ｎｍ2あたり０．５本、吸着体４が存在する割合は０．６であった。
【００４１】
＜実験例３＞
酸化還元反応を利用して基材２上にポリマー３をグラフト重合し、さらにポリマー３上に吸着体４を形成することで、空気清浄フィルター１を作製した。
【００４２】
まず、生体由来材料であるキチンで形成された基材を用いたハニカム構造体（５０ｍｍ径、厚み５ｍｍ）を、０．５Ｎ硝酸水溶液に浸漬し、０℃以下で酸化剤としてセリウム（ＩＶ）イオンを２ｍＭ添加し、酸化反応を行なった。この際、過剰量の酸化剤の添加は、ラジカルの消滅につながる。次に、モノマー溶液（２０％）（モノマー組成：Ｃ6Ｈ5ＣＨ＝ＣＨ2）を２０ｍＬ添加し、４０℃で反応を行い、基材２上にポリマー３をグラフト重合により形成させた（形成されたポリマーの化学構造：（Ｃ6Ｈ5ＣＨＣＨ2）n））。
【００４３】
その後、実験例１と同様にして、ポリマー３と金属イオンとを反応させ、ポリマー３上に吸着体４を形成し、空気清浄フィルター１を作製した。得られた空気清浄フィルター１において、ポリマー３の密集度は１ｎｍ2あたり０．４本、吸着体４が存在する割合は０．７であった。
【００４４】
＜比較実験例１＞
従来技術である比較実験例として、上記実験例１で用いた基材をそのまま用いて、空気清浄フィルターを作成した。
【００４５】
＜実施例１、比較例１、２＞
実験例１、比較実験例１で作製した空気清浄フィルターを用いて、空気清浄機を作製した。なお、実験例１の空気清浄フィルターを用いた空気清浄機では、空気清浄フィルターに対し空気が流入する側に除湿部を設けた場合（実施例１）と、設けなかった場合（比較例１）とをそれぞれ作製した。比較実験例１で用いた空気清浄フィルターについてはそのまま用いて空気清浄機を作製した（比較例２）。除湿部としては、中空糸で形成された除湿膜（ＵＢＥメンブレンドライヤー、宇部興産株式会社製）を用いた。
【００４６】
除湿膜を設けた空気清浄機について、除湿膜通過直後の気体を湿度センサで測定したところ、殆ど水分は観測されなかった。よって、空気清浄フィルターに対し空気が流入する側に除湿部を設けた場合には、空気清浄フィルター１において吸着体４を形成する金属錯体が水により分解してしまうようなことはなく、長時間にわたり吸着能力を保持できるものであることが分かる。
【００４７】
また、各空気清浄機について、一酸化炭素（ＣＯ）の除去能力を評価した。評価試験は、各空気清浄機を１ｍ3の空間内に設置し、中毒症状が出現すると言われている一酸化炭素１００ｐｐｍ雰囲気にして空気清浄機運転中の空間内一酸化炭素除去率（ガスクロマトグラフにて測定）の経時変化を求めることによって行なった。結果を図３に示す。
【００４８】
今回開示された実施の形態および実施例は、全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【図面の簡単な説明】
【００４９】
【図１】本発明の空気清浄機に好ましく用いられる空気清浄フィルター１の一部を模式的に示す図である。
【図２】本発明の好ましい一例の空気清浄機１１を模式的に示す図である。
【図３】本発明の空気清浄機１１による一酸化炭素除去率の経日変化を示すグラフであり、縦軸は一酸化炭素（ＣＯ）除去率（％）、横軸は時間（日）を示している。
【符号の説明】
【００５０】
１  空気清浄フィルター、２  基材、３  ポリマー、４  吸着体、１１  空気清浄機、１２  除湿部、１３  流入部、１４  排出部、１５  除塵フィルタ。
【図１】
2007111615.tif 000003
【図２】
2007111615.tif 000004
【図３】
2007111615.tif 000005